(57)【要約】【課題】伝送時間間隔の前後する２つのＴＦＣＩが同一であっても、復号処理のためのパラメータのリコンフィグレーションが発生してトランスポートフォーマットに変化がある場合には復号処理をし直すことができるチャネル復号化装置及びチャネル復号化方法を提供する。【解決手段】受信チャネルのＴＦＣＩを少なくとも送信単位時間である１伝送時間間隔の間保持して、現ＴＦＣＩと前ＴＦＣＩとを比較し、両者が同一である場合には復号処理のためのパラメータを算出する演算を行うことなく前回の伝送期間に設定されたパラメータを使用して今回の伝送期間の復号処理を行い、両者の前ＴＦＣＩが同一であってもリコンフィグレーションの発生が発生した場合には復号処理のためのパラメータを算出する演算を行い、得られたパラメータを用いて今回の伝送期間の復号処理を行う。【選択図】図１
2006261922.tif 000002
【特許請求の範囲】
【請求項１】
受信チャネルのフォーマット組合せ指標を基にレートマッチングパラメータを含む復号処理のためのパラメータを算出し、算出したパラメータに従って受信データの復号処理を行うチャネル復号化装置において、
前記受信チャネルのフォーマット組合せ指標を少なくとも送信単位時間である１伝送時間間隔の間保持する指標保持手段と、
前記指標保持手段に保持された前回の伝送期間のフォーマット組合せ指標と今回の伝送期間のフォーマット組合せ指標とを比較し、両者のフォーマット組合せ指標が同一かどうかを判定する指標判定手段と、
復号処理のためのパラメータのリコンフィグレーションの発生を検出するリコンフィグレーション検出手段と、
前記指標判定手段により両者のフォーマット組合せ指標が同一と判定された場合は前記復号処理のためのパラメータを算出する演算を行うことなく前回の伝送期間に設定されたパラメータを使用して今回の伝送期間の復号処理を行い、前記指標判定手段により両者のフォーマット組合せ指標が同一と判定された場合でも前記リコンフィグレーション検出手段によりリコンフィグレーションの発生が検出された場合には前記復号処理のためのパラメータを算出する演算を行い、得られたパラメータを用いて今回の伝送期間の復号処理を行う復号手段と、
を備えるチャネル復号化装置。
【請求項２】
同期外れの有無を検出する同期検出手段と、
前記同期検出手段により同期外れが検出された場合、前記指標保持手段に保持されている前回のフォーマット組合せ指標を、データ無しを示すフォーマット組合せ指標に更新する更新手段とを備え、
前記復号手段は、前記同期検出手段により同期外れが検出されてデータ無しを示すフォーマット組合せ指標に更新された場合、前記データ無しを示すフォーマット組合せ指標の下で今回の伝送期間の復号処理を行う請求項１に記載のチャネル復号化装置。
【請求項３】
請求項１又は請求項２に記載のチャネル復号化装置を備える無線基地局。
【請求項４】
受信チャネルのフォーマット組合せ指標を基にレートマッチングパラメータを含む復号処理のためのパラメータを算出し、算出したパラメータに従って受信データの復号処理を行うチャネル復号化方法において、
前記受信チャネルのフォーマット組合せ指標を少なくとも送信単位時間である１伝送時間間隔の間保持して、前回の伝送期間のフォーマット組合せ指標と今回の伝送期間のフォーマット組合せ指標とを比較し、両者のフォーマット組合せ指標が同一である場合には復号処理のためのパラメータを算出する演算を行うことなく前回の伝送期間に設定されたパラメータを使用して今回の伝送期間の復号処理を行い、両者のフォーマット組合せ指標が同一である場合でもリコンフィグレーションが発生した場合には前記復号処理のためのパラメータを算出する演算を行い、得られたパラメータを用いて今回の伝送期間の復号処理を行うチャネル復号化方法。
【請求項５】
同期外れの有無を判定し、同期外れが生じた場合は、保持している前回のフォーマット組合せ指標を、データ無しを示すフォーマット組合せ指標に更新し、そのデータ無しを示すフォーマット組合せ指標の下で今回の伝送期間の復号処理を行う請求項４に記載のチャネル復号化方法。
【請求項６】
受信チャネルのフォーマット組合せ指標を基にレートマッチングパラメータを含む復号処理のためのパラメータを算出し、算出したパラメータに従って受信データの復号処理を行うチャネル復号化プログラムにおいて、
前記受信チャネルのフォーマット組合せ指標を少なくとも送信単位時間である１伝送時間間隔の間保持するステップと、
保持している前回の伝送期間のフォーマット組合せ指標と今回の伝送期間のフォーマット組合せ指標とを比較し、両者のフォーマット組合せ指標が同一かどうかを判定するステップと、
復号処理のためのパラメータのリコンフィグレーションの発生を検出するステップと、
前記両者のフォーマット組合せ指標が同一と判定した場合に前記復号処理のためのパラメータを算出する演算を行うことなく前回の伝送期間に設定されたパラメータを使用して今回の伝送期間の復号処理を行い、前記両者のフォーマット組合せ指標が同一と判定し且つ前記リコンフィグレーションの発生を検出した場合には前記復号処理のためのパラメータを算出する演算を行い、得られたパラメータを用いて今回の伝送期間の復号処理を行うステップと、
を備え、コンピュータに前記各ステップを実行させるチャネル復号化プログラム。
【請求項７】
同期外れの有無を検出するステップと、
前記同期外れを検出した場合、保持している前回のフォーマット組合せ指標を、データ無しを示すフォーマット組合せ指標に更新するステップとを備え、
前記同期外れを検出してデータ無しを示すフォーマット組合せ指標に更新した場合にそのデータ無しを示すフォーマット組合せ指標の下で今回の伝送期間の復号処理を行う請求項６に記載のチャネル復号化プログラム。
【発明の詳細な説明】
【技術分野】
【０００１】
本発明は、移動通信システムの基地局に用いて好適なチャネル復号化装置及びチャネル復号化方法に関する。
【背景技術】
【０００２】
近年、移動通信においては、Ｗ−ＣＤＭＡ（Wideband-Code Division Multiple Access）方式を中心とした第３世代移動通信システム（ＩＭＴ−２０００；International Mobile Telecommunications-2000）が主流となってきている。従来、第３世代移動通信システムの無線基地局を構成するチャネル復号化装置として、チャネル復号化処理のパラメータ演算を削減することで消費電流の削減を図ったものが提案されている（例えば、特許文献１参照）。
【０００３】
特許文献１で開示されたチャネル復号化装置は、３ＧＰＰ（Third Generation Partnership Project）規格によるトランスポートフォーマット組合せ指標（ＴＦＣＩ；Transport Format Combination Indicator）を使用し、最小単位時間の伝送時間間隔（ＴＴＩ；Transmission Time Interval）の前後の２つのＴＦＣＩ（前ＴＦＣＩ、現ＴＦＣＩ）を比較して、一致する場合にはチャネル復号化処理のパラメータ演算処理を停止させて保持している前回のパラメータを使用するようにしたものである。
【０００４】
なお、ＴＦＣＩとは、上りリンクのＤＰＤＣＨ（Dedicated Physical Data Channel）の受信フレームに、幾つかのトランスポートチャネルが多重されているか、また各トランスポートチャネルがどのトランスポートフォーマットを使用しているかを示す情報である。ＤＰＤＣＨは、ＤＰＣＨ（Dedicated Physical Channel）を使用する移動機に対して１つ以上割り当てられるものであり、上位レイヤからのデータ送信に使用されるものである。
【０００５】
【特許文献１】特開２００２−２４７１２７号公報
【発明の開示】
【発明が解決しようとする課題】
【０００６】
しかしながら、従来のチャネル復号化装置においては、次のような問題がある。
・チャネル復号化処理のためのパラメータのリコンフィグレーションが発生した場合、現ＴＦＣＩと前ＴＦＣＩとが同一であっても異なるトランスポートフォーマットに変化することが想定されるため、異なるトランスポートフォーマットでチャネル復号化処理を行ってしまった場合には正しい復号結果が得られない。なお、チャネル復号化処理のためのパラメータのリコンフィグレーションが発生する場合としては、送受信する回線が例えば音声とパケットの組合せであるとして、その音声回線の有無の状態が変わった場合等が挙げられる。
【０００７】
・同期が外れるなどの同期が不安定な場合にはＴＦＣＩに誤りが生じるなどＴＦＣＩがランダムに変化するため、一時的にＴＦＣＩの変化に応じて復号処理が必要となり、消費電流の削減を阻害する。
【０００８】
本発明は、かかる点に鑑みてなされたものであり、伝送時間間隔の前後する２つのＴＦＣＩが同一であっても、チャネル復号化処理のためのパラメータのリコンフィグレーションが発生してトランスポートフォーマットに変化がある場合にはチャネル復号化処理をし直すことができ、また同期不安定時のチャネル復号化処理に伴う消費電流の増加を最小限に抑えることができるチャネル復号化装置及びチャネル復号化方法を提供することを目的とする。
【課題を解決するための手段】
【０００９】
上記目的は下記構成、方法又はプログラムにより達成される。
（１）  受信チャネルのフォーマット組合せ指標を基にレートマッチングパラメータを含む復号処理のためのパラメータを算出し、算出したパラメータに従って受信データの復号処理を行うチャネル復号化装置において、前記受信チャネルのフォーマット組合せ指標を少なくとも送信単位時間である１伝送時間間隔の間保持する指標保持手段と、前記指標保持手段に保持された前回の伝送期間のフォーマット組合せ指標と今回の伝送期間のフォーマット組合せ指標とを比較し、両者のフォーマット組合せ指標が同一かどうかを判定する指標判定手段と、復号処理のためのパラメータのリコンフィグレーションの発生を検出するリコンフィグレーション検出手段と、前記指標判定手段により両者のフォーマット組合せ指標が同一と判定された場合は前記復号処理のためのパラメータを算出する演算を行うことなく前回の伝送期間に設定されたパラメータを使用して今回の伝送期間の復号処理を行い、前記指標判定手段により両者のフォーマット組合せ指標が同一と判定された場合でも前記リコンフィグレーション検出手段によりリコンフィグレーションの発生が検出された場合には前記復号処理のためのパラメータを算出する演算を行い、得られたパラメータを用いて今回の伝送期間の復号処理を行う復号手段と、を備える。
【００１０】
（２）  上記（１）に記載のチャネル復号化装置において、同期外れの有無を検出する同期検出手段と、前記同期検出手段により同期外れが検出された場合、前記指標保持手段に保持されている前回のフォーマット組合せ指標を、データ無しを示すフォーマット組合せ指標に更新する更新手段とを備え、前記復号手段は、前記同期検出手段により同期外れが検出されてデータ無しを示すフォーマット組合せ指標に更新された場合、前記データ無しを示すフォーマット組合せ指標の下で今回の伝送期間の復号処理を行う。
【００１１】
（３）  移動通信システムの無線基地局であって、上記（１）又は（２）に記載のチャネル復号化装置を備える。
【００１２】
（４）  受信チャネルのフォーマット組合せ指標を基にレートマッチングパラメータを含む復号処理のためのパラメータを算出し、算出したパラメータに従って受信データの復号処理を行うチャネル復号化方法において、前記受信チャネルのフォーマット組合せ指標を少なくとも送信単位時間である１伝送時間間隔の間保持して、前回の伝送期間のフォーマット組合せ指標と今回の伝送期間のフォーマット組合せ指標とを比較し、両者のフォーマット組合せ指標が同一である場合には復号処理のためのパラメータを算出する演算を行うことなく前回の伝送期間に設定されたパラメータを使用して今回の伝送期間の復号処理を行い、両者のフォーマット組合せ指標が同一である場合でもリコンフィグレーションが発生した場合には復号処理のためのパラメータを算出する演算を行い、得られたパラメータを用いて今回の伝送期間の復号処理を行う。
【００１３】
（５）  上記（４）に記載のチャネル復号化方法において、同期外れの有無を判定し、同期外れが生じた場合は、保持している前回のフォーマット組合せ指標を、データ無しを示すフォーマット組合せ指標に更新し、そのデータ無しを示すフォーマット組合せ指標の下で今回の伝送期間の復号処理を行う。
【００１４】
（６）  受信チャネルのフォーマット組合せ指標を基にレートマッチングパラメータを含む復号処理のためのパラメータを算出し、算出したパラメータに従って受信データの復号処理を行うチャネル復号化プログラムにおいて、前記受信チャネルのフォーマット組合せ指標を少なくとも送信単位時間である１伝送時間間隔の間保持するステップと、保持している前回の伝送期間のフォーマット組合せ指標と今回の伝送期間のフォーマット組合せ指標とを比較し、両者のフォーマット組合せ指標が同一かどうかを判定するステップと、復号処理のためのパラメータのリコンフィグレーションの発生を検出するステップと、前記両者のフォーマット組合せ指標が同一と判定した場合に前記復号処理のためのパラメータを算出する演算を行うことなく前回の伝送期間に設定されたパラメータを使用して今回の伝送期間の復号処理を行い、前記両者のフォーマット組合せ指標が同一と判定し且つ前記リコンフィグレーションの発生を検出した場合には前記復号処理のためのパラメータを算出する演算を行い、得られたパラメータを用いて今回の伝送期間の復号処理を行うステップとを備え、コンピュータに前記各ステップを実行させる。
【００１５】
（７）  上記（６）に記載のチャネル復号化プログラムにおいて、同期外れの有無を検出するステップと、前記同期外れを検出した場合、保持している前回のフォーマット組合せ指標を、データ無しを示すフォーマット組合せ指標に更新するステップとを備え、前記同期外れを検出してデータ無しを示すフォーマット組合せ指標に更新した場合にそのデータ無しを示すフォーマット組合せ指標の下で今回の伝送期間の復号処理を行う。
【発明の効果】
【００１６】
上記（１）に記載のチャネル復号化装置では、リコンフィグレーションが発生した場合に、前回のフォーマット組合せ指標と今回のフォーマット組合せ指標とが同一であっても復号処理のためのパラメータ演算を行うので、正しい復号処理が可能となり、消費電流の削減と信頼性向上が同時に得られる。
【００１７】
上記（２）に記載のチャネル復号化装置では、同期外れが生じた場合にはデータ無しを示すフォーマット組合せ指標に更新して復号処理を軽減するので、消費電流の削減が図れる。
【００１８】
上記（３）に記載の無線基地局では、上記（１）又は（２）に記載のチャネル復号化装置を備えるので、消費電流の削減と正しい復号結果が得られることによる信頼性向上を同時に実現できる。
【００１９】
上記（４）に記載のチャネル復号化方法では、リコンフィグレーションが発生した場合に、前回のフォーマット組合せ指標と今回のフォーマット組合せ指標とが同一であっても復号処理のためのパラメータ演算を行うので、正しい復号処理が可能となり、消費電流の削減と信頼性向上が同時に得られる。
【００２０】
上記（５）に記載のチャネル復号化方法では、同期外れが生じた場合にはデータ無しを示すフォーマット組合せ指標に更新して復号処理を軽減するので、消費電流の削減が図れる。
【００２１】
上記（６）に記載のチャネル復号化プログラムでは、リコンフィグレーションが発生した場合に、前回のフォーマット組合せ指標と今回のフォーマット組合せ指標とが同一であっても復号処理のためのパラメータ演算を行うので、正しい復号処理が可能となり、消費電流の削減と信頼性向上が同時に得られる。
【００２２】
上記（７）に記載のチャネル復号化プログラムでは、同期外れが生じた場合にはデータ無しを示すフォーマット組合せ指標に更新して復号処理を軽減するので、消費電流の削減が図れる。
【発明を実施するための最良の形態】
【００２３】
以下、本発明を実施するための好適な実施の形態について、図面を参照して詳細に説明する。
【００２４】
図１は、本発明の一実施の形態に係るチャネル復号化装置の概略構成を示すブロック図である。この図において、本実施の形態のチャネル復号化装置１は、ＴＦＣＩ抽出部１０と、ＴＦＣＩ保持部１１と、ＴＦＣＩ比較部１２と、ＴＦＣＩ更新部１３と、チャネル制御部１４と、リコンフィグレーション検出部１５と、誤り訂正復号部１６と、同期状態監視部１７と、Ｉｕｂデータフレーム転送部１８と、パラメータ演算部１９とを備えている。なお、本実施の形態では、上記各部１０〜１９は、コンピュータ（マイクロコンピュータ）を用いてコンピュータの機能として実現したものであるが、それぞれ独立したハードウェア構成としても良い。
【００２５】
ＴＦＣＩ抽出部１０は、受信データの制御チャネルに含まれるフォーマット組合せ指標（以下、ＴＦＣＩと言う）を抽出する。ＴＦＣＩ保持部１１は、ＴＦＣＩを少なくとも送信単位時間である１伝送時間間隔（ＴＴＩ）の間保持する。ＴＦＣＩ比較部１２は、現在のＴＦＣＩ（以下、現ＴＦＣＩと言う）の値とその直前のＴＦＣＩ（以下、前ＴＦＣＩと言う）の値とを比較し、その結果をＴＦＣＩ更新部１３に入力する。ＴＦＣＩ更新部１３は、ＴＦＣＩ比較部１２にて現ＴＦＣＩの値と前ＴＦＣＩの値とが同一であると判定された場合、パラメータ演算部１９にパラメータ演算処理を停止させるための更新無しを示す信号を入力する。また、ＴＦＣＩ更新部１３は、ＴＦＣＩ比較部１２にて現ＴＦＣＩの値と前ＴＦＣＩの値とが異なると判定された場合、パラメータ演算部１９にパラメータ演算処理を行わせるための更新有りを示す信号を入力する。さらに、ＴＦＣＩ保持部１１に保存されている前ＴＦＣＩの値を現ＴＦＣＩの値に更新する。チャネル制御部１４は、パラメータ演算部１９とリコンフィグレーション検出部１５それぞれにトランスポートフォーマット情報（各チャネルのフォーマット指標のパラメータ、ＴＦＣＩ、ＣＲＣビット数、送信データの符号化方式及び符号化率等のパラメータ）を設定する。
【００２６】
リコンフィグレーション検出部１５は、チャネル制御部１４で設定されたトランスポートフォーマット情報からリコンフィグレーションの発生を検出し、リコンフィグレーションの発生を検出した場合にはＴＦＣＩ保持部１１におけるＴＦＣＩの値の初期化を行う。この場合、ＴＦＣＩ保持部１１が保持している前ＴＦＣＩの値をそのチャネルで設定されているＴＦＣＩ以外の値（例えば、ＴＦＣＩ＝０ｘＦＦＦＦ）で初期化する。ＴＦＣＩ保持部１１に保持されている前ＴＦＣＩの値を初期化することで、現ＴＦＣＩの値が前ＴＦＣＩの値と同一であっても、コンフィグレーションが発生してトランスポートフォーマットに変化があった場合には復号処理のためのパラメータを求める演算をし直すことができる。これによりパラメータ演算部１９にて復号処理のためのパラメータを求める演算が行われて、それにより得られたパラメータが誤り訂正復号部１６の各回路に設定される（この詳細は後述する）。
【００２７】
同期状態監視部１７は、受信データの制御チャネルに含まれる同期情報から同期外れの有無を監視し、同期外れを検出した場合にはＴＦＣＩ抽出部１０の出力を予めチャネル設定時に検出されたデータ無しを示すＴＦＣＩに更新（例えば、ＴＦＣＩ＝０）する。また、同時にＩｕｂ（interface between the RNC and the Node B）データフレーム転送部１８に対してＩｕｂデータフレームを出力しないようにＯＦＦ信号を入力する。なお、Ｉｕｂは、3GPP TS 25.401仕様にて定義されたものであり、interface between the RNC(Radio Network Controller) and the Node Bのことである。同期状態監視部１７にて更新されたデータ無しを示すＴＦＣＩはそのままＴＦＣＩ比較部１２、ＴＦＣＩ更新部１３を順次通過してパラメータ演算部１９に入力される。パラメータ演算部１９は、データ無しを示すＴＦＣＩが入力されることで、データ無しに対応するパラメータを算出する演算を行う。この演算は非常に簡単な演算であるので電流消費が最小限に抑えられる。
【００２８】
誤り訂正復号部１６は、２次デインタリービング処理回路１６０と、トランスポートチャネル多重分離処理回路１６１と、レートデマッチング処理回路１６２と、１次デインタリービング処理回路１６３と、チャネルデコーディング処理回路１６４と、ＣＲＣチェック処理回路１６５とを備えている。
【００２９】
パラメータ演算部１９は、各トランスポートチャネル（ＴｒＣＨ１，ＴｒＣＨ２，ＴｒＣＨ３）に設定するパラメータを演算する。すなわち、パラメータ演算部１９には、チャネル制御部１４から通知される各チャネルのフォーマット指標のパラメータが入力され、またＴＦＣＩが入力されることで、そのＴＦＣＩより当該チャネルのフォーマット指標（ＴＦＩ）を算出し、各チャネルトランスポートブロック長及びトランスポートブロック数を特定する。また、チャネル制御部１４から通知されるＣＲＣビット数、送信データの符号化方式（畳み込み符号、ターボ符号等）及び符号化率等のパラメータより、チャネルデコーディングパラメータ（チャネルデコーディング処理前後のデータビット長）を計算する。
【００３０】
また、チャネルデコーディング処理前のデータビット長からレートマッチングパラメータ計算を行うことにより、レートマッチングパラメータΔＮ，ｅｉｎｉ，ｅｐｌｕｓ，ｅｍｉｎｕｓを計算する。さらに、トランスポートチャネル多重分離のパラメータとして、各トランスポートチャネル（ＴｒＣＨ）のデータビット長（チャネルデコーディング処理前のビット長＋ΔＮ）も計算する。以上の計算により算定したパラメータを、各トランスポートチャネルの、チャネルデコーディング処理回路１６４、レートデマッチング処理回路１６２、トランスポートチャネル多重分離処理回路１６１にそれぞれ設定する。復号処理はこの設定パラメータを基に実行可能となる。トランスポートチャネル多重分離処理回路１６１、レートデマッチング処理回路１６２及びチャネルデコーディング処理回路１６４に設定されたパラメータ値は保持され、次の送信データの送信時間（上述したＴＴＩ）で異なるパラメータ値であった場合は新パラメータ値で上書きされ、更新される。
【００３１】
パラメータ演算回路１９は、ＴＦＣＩ更新部１３から更新無しを示す信号が入力されると、その伝送時間間隔の間はパラメータの演算を行うことなく、前回算出したパラメータ値を各トランスポートチャネル（ＴｒＣＨ１、ＴｒＣＨ２、ＴｒＣＨ３）のチャネルデコーディング処理回路１６４、レートデマッチング処理回路１６２、トランスポートチャネル多重分離処理回路１６１にそれぞれ設定する。
【００３２】
次に、上記構成のチャネル復号化装置１の動作について説明する。図２は、チャネル復号化装置１の動作を説明するためのフローチャートである。１伝送時間間隔内において、まずリコンフィグレーションの検出を行い（ステップＳＴ１０）、リコンフィグレーションの発生の有無を判定する（ステップＳＴ１１）。リコンフィグレーションが発生していない場合は同期外れ検出を行う（ステップＳＴ１３）。これに対してリコンフィグレーションが発生した場合はＴＦＣＩ保持部１１で保持している前ＴＦＣＩの値をそのチャネルで設定されているＴＦＣＩ以外の値で初期化する（ステップＳＴ１２）。ＴＦＣＩ保持部１１で保持している前ＴＦＣＩの値を初期化した後、同期外れ検出を行う（ステップＳＴ１３）。同期外れが発生していないと判定した後、又は同期外れが発生したと判定してＴＦＣＩの更新（ステップＳＴ１５）を行った後、現ＴＦＣＩを取得し（ステップＳＴ１６）、さらに保存している前ＴＦＣＩを取得する（ステップＳＴ１７）。
【００３３】
現ＴＦＣＩと前ＴＦＣＩとを取得した後、これらの値が同一であるかどうかを判定し（ステップＳＴ１８）、同一であれば誤り訂正復号処理を行い（ステップＳＴ２１）、Ｉｕｂデータフレームを出力する（ステップＳＴ２２）。これに対し、現ＴＦＣＩと前ＴＦＣＩの値が同一でない場合は、前ＴＦＣＩを現ＴＦＣＩに更新して（ステップＳＴ１９）、復号処理の為のパラメータを求める演算を行う（ステップＳＴ２０）。リコンフィグレーションが発生した場合は、現ＴＦＣＩと前ＴＦＣＩとが同じ値であったとしても、強制的に前ＴＦＣＩを初期化して現ＴＦＣＩと異なる値にするので、ステップＳＴ１９及びステップＳＴ２０を実行して、復号処理の為のパラメータを求める演算を行う。これにより、正確な復号結果が得られる。他方、同期が外れた場合は、現ＴＦＣＩをデータが無いことを示す値に更新するので、復号処理が軽減して消費電流の削減が図れる。
【００３４】
このように、本実施の形態のチャネル復号化装置１によれば、リコンフィグレーション発生の有無を判定し、現ＴＦＣＩの値と前ＴＦＣＩの値とが同一であってもリコンフィグレーションが発生した場合には復号処理のためのパラメータを算出する演算を行い、得られたパラメータを用いて今回の伝送期間の復号処理を行うので、リコンフィグレーションが発生した場合でも正しい復号が可能となり、消費電流の削減と信頼性向上が同時に得られる。
【００３５】
また、本実施の形態のチャネル復号化装置１によれば、同期外れが生じた場合にはデータ無しを示すＴＦＣＩに更新するので、復号化処理を軽減でき、それによって消費電流の削減が図れる。
【産業上の利用可能性】
【００３６】
本発明は、リコンフィグレーションが発生した場合でも正しい復号処理が可能となり、消費電流の削減と信頼性向上が同時に得られるといった効果を有し、移動通信システムの基地局などへの適用が可能である。
【図面の簡単な説明】
【００３７】
【図１】本発明の一実施の形態に係るチャネル復号化装置の概略構成を示すブロック図
【図２】図１のチャネル復号化装置の動作を説明するためのフローチャート
【符号の説明】
【００３８】
１  チャネル復号化装置
１０  ＴＦＣＩ抽出部
１１  ＴＦＣＩ保持部
１２  ＴＦＣＩ比較部
１３  ＴＦＣＩ更新部
１４  チャネル制御部
１５  リコンフィグレーション検出部
１６  誤り訂正復号部
１７  同期状態監視部
１８  Ｉｕｂデータフレーム転送部
１９  パラメータ演算部
１６０  ２次デインタリービング処理回路
１６１  トランスポートチャネル多重分離処理回路
１６２  レートデマッチング処理回路
１６３  １次デインタリービング処理回路
１６４  チャネルデコーディング処理回路
１６５  ＣＲＣチェック処理回路
【図１】
2006261922.tif 000003
【図２】
2006261922.tif 000004